【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
ワイヤレス通信システムにおける呼品質を維持するための方法であって、
前記ワイヤレス通信システムの第1のワイヤレスデバイスと第2のデバイスとの間で、第1のワイヤレス通信経路を確立するステップと、
トリガイベントが発生したと前記第1のワイヤレスデバイスが判断したことに応答して、前記第1のワイヤレスデバイスと前記第2のデバイスとの間で、第2のワイヤレス通信経路を確立するステップであって、前記第1のワイヤレス通信経路および前記第2のワイヤレス通信経路が異なる、ステップと、
前記第1のワイヤレス通信経路と前記第2のワイヤレス通信経路の両方を介して、前記第1のワイヤレスデバイスから前記第2のデバイスへ、同じオリジナルのデータストリームを含む連続データストリームを、前記第2のデバイスが前記第1のワイヤレス通信経路と前記第2のワイヤレス通信経路のいずれかまたは両方を介して送信された前記連続データストリームから完全なオリジナルのデータストリームを受信および再構築することを可能にする方法で、送信するステップと、
を含み、
前記ワイヤレス通信システム上の呼が高優先度呼であることを指示する前記第1のワイヤレスデバイスにおけるユーザ入力の受信、または、前記第1のワイヤレスデバイスが前記第1のワイヤレス通信経路に関連付けられた低品質呼ゾーンに入ることになるという前記第1のワイヤレスデバイスにおける予測、のうちの1つまたは複数に応答して前記トリガイベントが発生したと、前記第1のワイヤレスデバイスが判断する、方法。
【請求項２】
前記連続データストリームを、一連のインデックス付きパケットとして、前記第1のワイヤレス通信経路と前記第2のワイヤレス通信経路の両方上で送信するステップをさらに含み、
前記第1のワイヤレス通信経路と前記第2のワイヤレス通信経路のいずれか上で受信される前記第2のデバイスよりも、前記送信されたデータパケットのより完全なセットを回復するために、前記データパケットのインデックスを前記第2のデバイスが使用する、請求項1に記載の方法。
【請求項３】
前記連続データストリームを、一連のインデックス付きデータパケットとして、前記第1のワイヤレス通信経路と前記第2のワイヤレス通信経路の両方上で送信するステップをさらに含み、
前記第1のワイヤレス通信経路および前記第2のワイヤレス通信経路上で受信された冗長パケットを破棄するために、前記データパケットのインデックスを前記第2のデバイスが使用する、請求項1に記載の方法。
【請求項４】
前記第2のワイヤレス通信経路が、前記第1のワイヤレス通信経路が確立される時間の一部分のみにわたって確立される、請求項1に記載の方法。
【請求項５】
終了トリガイベントが発生したと前記第1のワイヤレスデバイスが判断したことに応答して、前記第1のワイヤレスデバイスと前記第2のデバイスとの間の前記第2のワイヤレス通信経路を終了させるステップをさらに備える、請求項4に記載の方法。
【請求項６】
前記方法が、
前記第1のワイヤレスデバイス上にユーザ承認プロンプトを表示するステップであって、前記ユーザ承認プロンプトが、前記第2のワイヤレス通信経路に関する情報を含む、ステップと、
ユーザ承認指示が受信されるかどうかを判断するステップと、
をさらに含み、
前記ユーザ承認指示を受信すると、前記第2のワイヤレス通信経路が確立される、請求項1に記載の方法。
【請求項７】
前記第2のワイヤレス通信経路に関する前記情報が、デバイス設定情報、発呼者ID、呼品質情報、時刻、曜日、データ価格設定情報、電力使用量、デバイスバッテリーレベル情報、データ使用量情報、または呼タイプ情報のうちの1つまたは複数を含む、請求項6に記載の方法。
【請求項８】
前記第1のワイヤレス通信経路および前記第2のワイヤレス通信経路が、
前記第1のワイヤレスデバイス上の異なるアンテナを使用すること、
異なるワイヤレスネットワークを使用すること、
異なるワイヤレス通信プロトコルを使用すること、または、
前記第1のワイヤレスデバイス上の異なるコーデックを使用すること
の少なくとも1つによって確立される、請求項1に記載の方法。
【請求項９】
前記第2のワイヤレス通信経路が、少なくとも部分的に、前記第1のワイヤレスデバイスのユーザに関連付けられた追加のワイヤレスデバイスを介して確立される、請求項1に記載の方法。
【請求項１０】
前記連続データストリームを、異なる送信構造を使用して、前記第1のワイヤレス通信経路と前記第2のワイヤレス通信経路の両方上で送信するステップをさらに含む、請求項1に記載の方法。
【請求項１１】
前記第2のデバイスが、前記ワイヤレス通信システム内のサーバであり、前記方法が、
前記サーバと第2のワイヤレスデバイスとの間で、第3のワイヤレス通信経路を確立するステップと、
前記サーバから前記第2のワイヤレスデバイスへ二重通信経路要求を送り、前記サーバとの二重通信経路を確立するように前記第2のワイヤレスデバイスに要求するステップと、
前記第2のワイヤレスデバイスが前記二重通信経路要求を受け入れたか拒否したかを判断するステップと、
前記二重通信経路要求が前記第2のワイヤレスデバイスによって受け入れられる場合、
前記サーバと前記第2のワイヤレスデバイスとの間で、第4のワイヤレス通信経路を確立するステップと、
前記第3のワイヤレス通信経路と前記第4のワイヤレス通信経路の両方を介して、前記サーバから前記第2のワイヤレスデバイスへ、前記完全なデータストリームを、前記第2のワイヤレスデバイスが前記第3のワイヤレス通信経路と前記第4のワイヤレス通信経路のいずれかまたは両方を介して前記完全なオリジナルのデータストリームを受信および再構築することを可能にする方法で、送信するステップと
をさらに含む、請求項1に記載の方法。
【請求項１２】
前記第2のワイヤレスデバイスが前記二重通信経路要求を受け入れたか拒否したかを判断するステップが、ユーザ入力、デバイス設定情報、発呼者ID、呼品質情報、時刻、曜日、データ価格設定情報、電力使用量、デバイスバッテリーレベル情報、データ使用量情報、または呼タイプ情報のうちの1つまたは複数に基づく、請求項11に記載の方法。
【請求項１３】
ワイヤレス通信システムにおける呼品質を維持するための方法であって、
サーバとワイヤレスデバイスとの間で、第1のワイヤレス通信経路を確立するステップと、
前記サーバと前記ワイヤレスデバイスとの間で、第2のワイヤレス通信経路を確立するステップであって、前記第1のワイヤレス通信経路および前記第2のワイヤレス通信経路が異なるステップと、
前記第1のワイヤレス通信経路と前記第2のワイヤレス通信経路の両方を介して、前記ワイヤレスデバイスから、同じオリジナルのデータストリームを含む連続データストリームを受信するステップと、
前記第1のワイヤレス通信経路と前記第2のワイヤレス通信経路のいずれかまたは両方を介して受信された前記連続データストリームから完全なオリジナルのデータストリームを再構築するステップと、
を含み、
前記ワイヤレスデバイスは、トリガイベントが発生したと判断したことに応答して、前記第2のワイヤレス通信経路を確立するステップを開始し、前記トリガイベントは、前記ワイヤレスデバイスが、前記ワイヤレス通信システム上の呼が高優先度呼であることを指示するユーザ入力を受信すること、または、前記ワイヤレスデバイスが前記第1のワイヤレス通信経路に関連付けられた低品質呼ゾーンに入ることになると予測すること、のうちの1つまたは複数である、方法。
【請求項１４】
請求項1から13のいずれかに記載の方法を実行する手段を備える、装置。
【請求項１５】
ワイヤレス通信システム内のプロセッサに請求項1から13のいずれかに記載の方法を実行させるように構成されるプロセッサ実行可能命令を有する、プロセッサ可読記録媒体。